(57)【要約】【課題】リレーボックスにカバーを取り付けることなくリレー本体の防水を図り、リレー本体から生じる熱の放熱性を高める。【解決手段】リレーボックス１０の先端に鍔状に突出させて凹状部１１を設け、該凹状部１１の内周面と該凹状部１１に下側部を挿入するリレー本体２１の外周面との間に防水空間Ｓをあけると共に、該凹状部１１の底面中央にリレー本体２１の底面より突出するリレー端子挿入用の端子孔１１ａを設け、かつ、リレー本体２１の外周面より防水用リブ２３を外方へ突出させ、該防水用リブ２３を凹状部１１の先端面１１ｂに当接して閉鎖し、この防水用リブ２３とリレー本体２１の外周面２１ａと凹状部１１の内周面１１ｃで密閉される防水空間Ｓにゴムリング３０を配置している。【選択図】  図２
2005029023.tif 000002
【特許請求の範囲】
【請求項１】
リレーボックスの先端に鍔状に突出させて凹状部を設け、該凹状部の内周面と該凹状部に下側部を挿入するリレー本体の外周面との間に防水空間をあけると共に、該凹状部の底面中央にリレー本体の底面より突出するリレー端子挿入用の端子孔を設け、かつ、上記リレー本体の外周面より防水用リブを外方へ突出させ、該防水用リブを上記凹状部の先端面に当接して閉鎖し、この防水用リブとリレー本体の外周面と上記凹状部の内周面で密閉される上記防水空間にシール材を充填していることを特徴とするリレーボックスの防水構造。
【請求項２】
上記リレーボックスの凹状部の内部に、複数のリレーが並列して搭載され、これらリレーのリレー本体から突出させる防水用リブで、凹状部の開口が閉鎖される構成としている請求項１に記載のリレーボックスの防水構造。
【請求項３】
上記リレーボックスは二輪車に搭載され、被水領域に配置されるものである請求項１に記載のリレーボックスの防水構造。
【発明の詳細な説明】
【０００１】
【発明の属する技術分野】
本発明は、リレーボックスの防水構造に関し、詳しくは、リレー本体から生じる熱の放熱性を高めるものである。
【０００２】
【従来の技術】
従来、二輪車等の被水領域に搭載されるリレーボックス等には、ケース本体にリレー等の電気機能部品を取り付けており、該電気機能部品に水がかかってしまうと種々の不具合が発生するため、ケース本体にカバーを被せて防水性を確保している。
【０００３】
また、本出願人は、特開２０００−３２３００６号において、上記カバーを用いない防水構造を提供している。該防水構造は、図６に示すように、ヒューズ１、リレー、ダイオード等の電気機能部品にリップ２ａ、２ｂが突設する防水ゴムカバー２を取り付けて、該電気機能部品を取り付けるケース本体より突設したフードに嵌合し、防水ゴムカバー２のリップ２ａ、２ｂをフード内周面に密着させて防水性を確保し、ケース本体に取り付ける上記カバーを不要としている。
【０００４】
【特許文献１】
特開２０００−３２３００６号公報
【０００５】
【発明が解決しようとする課題】
しかしながら、前記したケース本体にカバーを取り付ける構造であると、電気機能部品がカバーにより外部から閉鎖されているため、電気機能部品から生じる熱の放熱性が悪いという問題がある。
また、ケース本体にカバーを取り付けるためボックスの外形が大きくなり、さらに、カバー製造用の金型費やカバーの取付作業が発生しコスト高になるという問題もある。
【０００６】
一方、特開２０００−３２３００６号において提供する防水構造であると、ケース本体に取り付けるカバーが不要となるため、ボックスを小型化できると共に、カバー製造用の金型費やカバーの取付作業が発生しないため、コストを低減することができる。しかし、該防水構造では電気機能部品自体に防水ゴムカバーを被せているため、上記ケース本体にカバーを取り付けた構造と同様、放熱性が悪いという問題がある。
【０００７】
本発明は上記問題に鑑みてなされたものであり、リレーボックスにカバーを取り付けることなくリレー本体の防水を図り、リレー本体から生じる熱の放熱性を高めることを課題としている。
【０００８】
【課題を解決するための手段】
上記課題を解決するため、本発明は、リレーボックスの先端に鍔状に突出させて凹状部を設け、該凹状部の内周面と該凹状部に下側部を挿入するリレー本体の外周面との間に防水空間をあけると共に、該凹状部の底面中央にリレー本体の底面より突出するリレー端子挿入用の端子孔を設け、かつ、上記リレー本体の外周面より防水用リブを外方へ突出させ、該防水用リブを上記凹状部の先端面に当接して閉鎖し、この防水用リブとリレー本体の外周面と上記凹状部の内周面で密閉される上記防水空間にシール材を充填していることを特徴とするリレーボックスの防水構造を提供している。
【０００９】
上記構成とすると、リレー本体に突設する防水用リブとリレー本体の外周面とリレーボックスの凹状部の内周面で密閉される防水空間にシール材を充填しているため、リレーボックスとリレー本体にカバーを被せることなくリレーの防水性を確保することができる。よって、リレー本体を外部に露出させることが可能となり、リレー本体から生じる熱の放熱性を高めることができる。
また、リレーボックスに取り付けるカバーが不要となるため、ボックスを小型化できると共に、カバー製造用の金型費やカバーの取付作業が発生せずコストを低減することができる。
なお、防水用リブはリレー本体の高さ方向中央よりも下部側に設けていることが好ましく、該構成とすると、リレーの外部への露出面積を大きくして放熱性をさらに高めることができる。
また、１つのリレーボックスに搭載するリレーの個数は２〜４個が好ましい。
【００１０】
上記リレーボックスの凹状部の内部に、複数のリレーが並列して搭載され、これらリレーのリレー本体から突出させる防水用リブで、凹状部の開口が閉鎖される構成としている。
上記構成とすると、１つの凹状部に複数のリレーを搭載することができ、かつ、リレーごとにシール材を設ける必要がなく、１つの凹状部に搭載するリレー全体に１つのシール材を設けるだけでよいので、コストを低減できると共に作業性を向上することができる。また、リレー間はリレー本体から突出させた防水用リブで凹状部の上面開口を閉鎖しているため、防水性を確保することができる。
【００１１】
上記リレーボックスは二輪車に搭載され、被水領域に配置されるものであることが好ましい。
二輪車のシート下方に搭載するリレーボックスには水がかかりやすく本発明の防水構造を好適に用いることができる。
なお、上記リレーボックスは二輪車に限らず、モーターボートや自動車の被水領域に搭載してもよい。
【００１２】
【発明の実施の形態】
以下、本発明の実施の形態を図面を参照して説明する。
図１乃至図４は、本発明の第１実施形態を示し、リレーボックス１０は二輪車のシート下方の被水領域に搭載するものであり、図１に示すように、該リレーボックス１０の上面には３つのリレー２０を搭載している。
【００１３】
図２、図３に示すように、リレーボックス１０の上面側にリレー２０を搭載するための凹状部１１を設けている。該凹状部１１は、リレーボックス１０の側壁上端を側方へ突出させると共に、該突出部を上方へ屈曲させて外枠１０ａを形成し、該外枠１０ａとリレーボックス１０の上面で囲まれた空間を仕切壁１０ｂで仕切って３つの凹状部１１を設けている。該凹状部１１の底面中央には、凹状部１１に搭載するリレー２０のリレー端子挿入用の端子孔１１ａを設け、リレー端子２２と接続する相手方の雌端子４０を収容する端子収容室１２と連通させている。また、リレーボックス１０の底面は、雌端子４０を端子収容室１２に挿入できるよう開口している。
【００１４】
リレーボックス１０の凹状部１１に搭載するリレー２０は、図４に示すように、樹脂製のリレー本体２１の底面からリレー端子２２を突出すると共に、側面から防水用リブ２３を全周に亙って突設している。該防水用リブ２３は、リレー２０をリレーボックス１０の凹状部１１に搭載した状態で凹状部１１の先端面１１ｂに当接している。また、防水用リブ２３は、リレー本体２１の高さ方向中央よりも下方位置に設けており、リレー２０の外部への露出面積を大きくして放熱性を高めている。
【００１５】
リレー２０の防水用リブ２３とリレー本体２１の下部側の外周面２１ａと凹状部１１の内周面１１ｃで密閉される防水空間Ｓには防水性を確保するためシール材を充填しており、本実施形態では、環状のゴムリング３０を配置している。該ゴムリング３０の外周に外方へ突出する複数本の環状のリップ３０ａが一体的に周設され、該リップ３０ａを凹状部１１の内周面１１ｃに密着させると共に、ゴムリング３０の内周には内方へ突出する複数本の環状のリップ３０ｂが一体的に周設され、該リップ３０ｂをリレー本体２１の外周面２１ａに密着させて防水性を確保している。
【００１６】
リレーボックス１０の端子収容室１２には、電線ｗの端末に接続した雌端子４０をランス１２ａにより係止しており、凹状部１１に収容したリレー２０の端子２２を端子孔１１ａを通して端子収容室１２内に突出させ、該リレー２０の端子２２と雌端子４０とを接続している。
リレーボックス１０の底面開口にはゴム栓３１を配置しており、該ゴム栓３１の外周に外方へ突出する複数本の環状のリップ３１ａが一体的に周設され、該リップ３１ａをリレーボックス１０の側壁１３の内周面１３ａに密着させて防水性を確保している。また、ゴム栓３１の中央位置には電線ｗを挿通させるための貫通孔３１ｂを設け、該貫通孔３１ｂを通して電線ｗを端子収容室１２内から外部に引き出している。
【００１７】
上記構成とすると、リレー本体２１に突設する防水用リブ２３とリレー本体２１の外周面２１ａとリレーボックス１０の凹状部１１の内周面１１ｃで密閉される防水空間Ｓに防水用のゴムリング３０を配置しているため、リレーボックス１０とリレー本体２１にカバーを被せることなくリレー２０の防水性を確保することができる。よって、リレー本体２１を外部に露出させることが可能となり、リレー本体２１から生じる熱の放熱性を高めることができる。
また、リレーボックス１０に取り付けるカバーが不要となるため、ボックスを小型化できると共に、カバー製造用の金型費やカバーの取付作業が発生せずコストを低減することができる。
【００１８】
図５は、本発明の第２実施形態を示し、本実施形態のリレーボックス１０’の凹状部１１’には、仕切壁を設けず、１つの凹状部１１’に３つのリレー２０を収容できる構成としている。本実施形態で使用する環状のゴムリング３０’は、並列させた３つのリレー２０のリレー本体２１の外周面２１ａに密着している。よって、リレー２０間にはゴムリング３０’が配置されないが、リレー本体２１より突出する防水用リブ２３により凹状部１１の上面開口を閉鎖して防水性を確保している。
【００１９】
上記構成とすると、第１実施形態と同様、リレー２０の防水性を確保することができる。
また、１つの凹状部１１’に３つのリレー２０を搭載することができ、かつ、３つのリレー２０に１つのゴムリング３０’を取り付けている。即ち、並列する全てのリレー２０に夫々ゴムリング３０’を取り付ける必要がないため、コストを低減できると共に、作業性を向上させることができる。
なお、他の構成及び作用効果は第１実施形態と同様のため、同一の符号を付して説明を省略する。
【００２０】
【発明の効果】
以上の説明より明らかなように、本発明によれば、リレー本体に突設する防水用リブとリレー本体の外周面とリレーボックスの凹状部の内周面で密閉される防水空間にシール材を充填しているため、リレーボックスとリレー本体にカバーを被せることなくリレーの防水性を確保することができる。これにより、リレーボックスに搭載したリレーのリレー本体を外部に露出させることが可能となり、リレー本体から生じる熱の放熱性を高めることができる。
また、リレーボックスに取り付けるカバーが不要となるため、ボックスを小型化できると共に、カバー製造用の金型費やカバーの取付作業が発生せずコストを低減することができる。
【図面の簡単な説明】
【図１】本発明の第１実施形態のリレーボックスの斜視図である。
【図２】本発明の第１実施形態のリレーボックスの断面図である。
【図３】図２と直交方向の一部断面図である。
【図４】リレーを示し、（Ａ）は斜視図、（Ｂ）は平面図、（Ｃ）は正面図である。
【図５】本発明の第２実施形態のリレーボックスの断面図である。
【図６】従来例を示す図面である。
【符号の説明】
１０  リレーボックス
１１  凹状部
１１ａ  端子孔
１２  端子収容室
２０  リレー
２１  リレー本体
２２  端子
２３  防水用リブ
３０  ゴムリング
３０ａ、３０ｂ  リップ
４０  雌端子
Ｓ  防水空間
ｗ  電線
【図１】
2005029023.tif 000003
【図２】
2005029023.tif 000004
【図３】
2005029023.tif 000005
【図４】
2005029023.tif 000006
【図５】
2005029023.tif 000007
【図６】
2005029023.tif 000008